(57)【要約】【課題】  手指の筋肉疲労や硬化に対して、手指の老化、縮みや捩れなどを予防や改善したり、丈夫な爪を形成するために、効果的にマッサージやストレッチなどをすることのできる爪切りを提供する。【解決手段】  爪切り１０に、上刃１１を有する可動部材１２と、可動部材１２と接合され上刃１１と対向する下刃１３を有する固定部材１４と、固定部材１４一端が回転可能に支持され他端が可動部材１２の上面に突出する支持部材１５と、支持部材１５に基端側を回動可能に支持され、上刃１１と下刃１３とを噛合可能な使用位置および可動部材１２の上面に略重なる収納位置に少なくとも回動可能な操作レバー１６とを具備させ、さらに、操作レバー１６には、使用位置において、可動部材１２と対向する側に基端側から先端側に向かうに従って可動部材１２から離反する方向に曲がった曲面部１８を備える。【選択図】        図２
2005304795.tif 000002
【特許請求の範囲】
【請求項１】
一端側に上刃を有する可動部材と、
該可動部材の他端側と接合され、前記上刃と対向する下刃を有する固定部材と、
該固定部材の前記下刃近傍に一端が回転可能に支持され、他端が前記可動部材の上面に突出する支持部材と、
該支持部材の他端に基端側を回動可能に支持され、少なくとも、前記上刃と前記下刃とを噛合可能な使用位置および前記可動部材の上面に略重なる収納位置に回動可能な操作レバーとを具備し、
該操作レバーは、
前記使用位置および前記収納位置の何れかの位置において、前記可動部材と対向する側に、前記支持部材に支持された基端側から先端側に向かうに従って、前記可動部材から離反する方向に曲がった曲面部を備えていることを特徴とする爪切り。
【請求項２】
前記可動部材の上面、および、前記操作レバーの前記曲面部に、
夫々弾性部材が備えられていることを特徴とする請求項１に記載の爪切り。
【請求項３】
一端側に上刃を有する可動部材と、
該可動部材の他端側に接続され、前記上刃と対向する下刃を有する固定部材と、
該固定部材の前記下刃近傍に一端が回転可能に支持され、他端が前記可動部材の上面に突出する支持部材と、
該支持部材の他端に基端側を回動可能に支持され、少なくとも、前記上刃と前記下刃とを噛合可能な使用位置および前記可動部材の上面に略重なる収納位置に回動可能な操作レバーとを具備し、
前記使用位置および前記収納位置の何れかの位置において、前記可動部材と前記操作レバーとの夫々対向する側に、夫々弾性部材が備えられていることを特徴とする爪切り。
【請求項４】
前記操作レバーの前記弾性部材が備えられた側は、
その幅方向中央が窪んだ形状とされていることを特徴とする請求項２または請求項３に記載の爪切り。
【請求項５】
前記操作レバーの前記弾性部材が備えられた側には、
外側に向かって付勢可能なバネ部材が備えられていることを特徴とする請求項２から請求項４までの何れか一つに記載の爪切り。
【請求項６】
前記可動部材に備えられた前記弾性部材は、
その表面に、指の形状にフィットする凹凸が形成されていることを特徴とする請求項２から請求項５までの何れか一つに記載の爪切り。
【請求項７】
前記可動部材に備えられた前記弾性部材は、
その表面に、指を保持するための穴が設けられていることを特徴とする請求項２から請求項６までの何れか一つに記載の爪切り。
【請求項８】
前記操作レバーは、
前記使用位置において、前記可動部材と対向する側に、前記支持部材に支持された基端側から先端側に向かうに従って、前記可動部材から離反する方向に曲がった曲面部を備えていることを特徴とする請求項１から請求項７までの何れか一つに記載の爪切り。
【請求項９】
前記可動部材と前記固定部材との間に備えられ、且つ、前記上刃と前記下刃との噛合を可能とする前進位置と、噛合を阻止する後退位置との間を移動可能とされるストッパ部材をさらに具備することを特徴とする請求項８に記載の爪切り。
【請求項１０】
前記ストッパ部材は、
前記可動部材および前記固定部材の少なくとも一方に装着され、切断した爪の飛散を防止するカバーに備えられていることを特徴とする請求項９に記載の爪切り。
【発明の詳細な説明】
【技術分野】
【０００１】
本発明は、爪切りに関するもので、特に、手指のマッサージやストレッチを行うための機能を備えた爪切りに関するものである。
【背景技術】
【０００２】
従来より、仕事やスポーツ、楽器の演奏、手先を使う趣味などの他、老化などにより、手指の筋肉疲労や硬化が発生すると、手指が縮んだり捩れたりする問題があった。そのため、一方の手により他方の手の指をもみほぐしたりしてマッサージやストレッチなどを行い、血行を良くしたり筋肉を伸ばしたりして回復させるようにしていた。
【０００３】
一方、爪切りとしては、一端側に上刃を有する可動部材と、可動部材の他端側と接合され上刃と対向する下刃を有する固定部材と、固定部材の下刃近傍に一端が回転可能に支持され他端が可動部材の上面に突出する支持部材と、支持部材の他端に基端側を回動可能に支持され上刃と下刃とを噛合するための操作レバーとを備えたものが知られている。
【０００４】
上記の技術は、当業者においては当然のごとく知られているものであり、本出願人は、本願出願時において、上記の技術が記載されている文献を知見していない。
【発明の開示】
【発明が解決しようとする課題】
【０００５】
しかしながら、従来では、指先のマッサージや、手指のストレッチを行うための器具が知られておらず、手を用いてマッサージやストレッチを行っていたので、人によってそのやり方が様々であったり、高齢者など手指の力が不足していたりすると、十分な効果を得ることができなかった。
【０００６】
また、指の筋肉疲労や硬化などが発生してから、マッサージやストレッチなどを行っており、日頃からマッサージやストレッチを行って手指の運動をしておらず、手指が縮んだり捩れて変形したりする他、爪にも障害が表れる恐れがあった。
【０００７】
一方、従来の爪切りは、爪切り以外の機能を備えておらず、爪切り以外には役に立たなかった。
【０００８】
そこで、本発明は上記の実情に鑑み、手指の筋肉疲労や硬化に対して、手指の老化、縮みや捩れなどを予防や改善したり、丈夫な爪を形成するために、効果的にマッサージやストレッチなどをすることのできる爪切りの提供を課題とするものである。
【課題を解決するための手段】
【０００９】
上記の課題を解決するために、本願発明に係る爪切りは、「一端側に上刃を有する可動部材と、該可動部材の他端側と接合され、前記上刃と対向する下刃を有する固定部材と、該固定部材の前記下刃近傍に一端が回転可能に支持され、他端が前記可動部材の上面に突出する支持部材と、該支持部材の他端に基端側を回動可能に支持され、少なくとも、前記上刃と前記下刃とを噛合可能な使用位置および前記可動部材の上面に略重なる収納位置に回動可能な操作レバーとを具備し、該操作レバーは、前記使用位置および前記収納位置の何れかの位置において、前記可動部材と対向する側に、前記支持部材に支持された基端側から先端側に向かうに従って、前記可動部材から離反する方向に曲がった曲面部を備えている」構成とするものである。
【００１０】
本発明の爪切りによると、操作レバーを回動して使用位置にすることで、通常の爪切りとして使用することができる他に、操作レバーには、可動部材と対向する側に、その基端側から先端側に向かうに従って、可動部材から離反するように曲がった曲面部を備えているので、可動部材と操作レバーとの間に指を挿入し、指の先端を可動部材と操作レバーとで挟持した上で、指を操作レバーの曲面部に沿うように反らすことで容易に指にマッサージやストレッチなどをすることができる。そして、特に指をストレッチすることで、手指の筋肉を伸ばして筋肉をほぐし、手指の柔軟性を高めて、手指の縮みや捩れを予防したり改善したりすることができる。
【００１１】
また、爪切りにマッサージやストレッチをするための機能が一体に付加されているので、従来のように手でマッサージやストレッチをする場合に比べて、一本一本確実に且つ効率よく短時間に手指の運動を無理なくすることができる。
【００１２】
さらに、爪切りとして使用する際に、ついでに手指のマッサージやストレッチなどを容易に行うことができるので、日頃から手指の運動をすることが可能となり、手指の血行を良くしたり筋肉をほぐしたりすることで、手指の筋肉疲労や硬化が発生するのを抑制することができる。なお、曲面部の形状は、一定半径の円弧形状であっても良いし、複数の円弧からなる曲線形状であっても良い。
【００１３】
また、手指のマッサージやストレッチを行うことで丈夫な爪を形成することができるので、仕事やスポーツ、楽器の演奏、など主に手指をよく使う人に限らず、一般の人にも効果のあるものを提供することができる。なお、操作レバーが可動部材と離反する方向に付勢されたものとした場合、その付勢力により少ない力でマッサージやストレッチをすることができる。
【００１４】
本発明に係る爪切りは、上記の構成に加えて、「前記可動部材の上面、および、前記操作レバーの前記曲面部に、夫々弾性部材が備えられている」構成とすることもできる。ここで、弾性部材としては、ゴムや、ゴムや樹脂などを発泡させたものや、繊維などをマット状にしたものなどを例示することができる。
【００１５】
本発明によると、可動部材と操作レバーとで指を挟持する際に、弾性部材を介して指を挟持するので、指を痛めたりするのを防止することができる。
【００１６】
また、弾性部材の硬さを適正なものとして、可動部材と操作レバーとで指を挟持したり、挟持を解除したりするのを繰り返すことにより、容易に指をマッサージすることができる。そして、指をマッサージすることにより、指の血行を良くしたり、自律神経を刺激して指の働きを良くしたり老化を抑制したりすることができる。
【００１７】
本発明に係る爪切りは、「一端側に上刃を有する可動部材と、該可動部材の他端側に接続され、前記上刃と対向する下刃を有する固定部材と、該固定部材の前記下刃近傍に一端が回転可能に支持され、他端が前記可動部材の上面に突出する支持部材と、該支持部材の他端に基端側を回動可能に支持され、少なくとも、前記上刃と前記下刃とを噛合可能な使用位置および前記可動部材の上面に略重なる収納位置に回動可能な操作レバーとを具備し、前記使用位置および前記収納位置の何れかの位置において、前記可動部材と前記操作レバーとの夫々対向する側に、夫々弾性部材が備えられている」構成とするものである。
【００１８】
本発明によると、可動部材と操作レバーには、夫々対向する側に弾性部材が備えられているので、可動部材と操作レバーとの間に指を挿入して、可動部材と操作レバーとで弾性部材を介して指を挟持したり、挟持を解除したりして、上記と同様に、容易に指をマッサージすることができる。
【００１９】
本発明に係る爪切りは、上記の構成に加えて、「前記操作レバーの前記弾性部材が備えられた側は、その幅方向中央が窪んだ形状とされている」構成とすることもできる。
【００２０】
本発明によると、操作レバーの指と当接する側は、幅方向中央が窪んだ形状とされているので、指がその窪みに嵌り、マッサージやストレッチをする際に、指の位置がずれたりするのを防止することができると共に、指と当接する箇所を増やしてマッサージ効果を高めることができる。
【００２１】
本発明に係る爪切りは、上記の構成に加えて、「前記操作レバーの前記弾性部材が備えられた側には、外側に向かって付勢可能なバネ部材が備えられている」構成とすることもできる。ここで、バネ部材としては、板状のものを用いることが望ましい。
【００２２】
本発明によると、操作レバーに、指を外側に向かって付勢するバネ部材が備えられているので、可動部材と操作レバーにより挟持する力に加えて、バネ部材の付勢力も指にかけることができるので、少ない力で挟持してもマッサージ効果を得ることができる。なお、特にマッサージ効果の高めたい箇所にバネ部材を部分的に備えるようにしても良い。
【００２３】
本発明に係る爪切りは、上記の構成に加えて、「前記可動部材に備えられた前記弾性部材は、その表面に、指の形状にフィットする凹凸部が形成されている」構成とすることもできる。
【００２４】
本発明によると、可動部材に備えられた弾性部材に、指にフィットする凹凸部が形成されているので、これにより、マッサージやストレッチをする際に、可動部材側でも指の位置がずれたりするのを防止することができる。
【００２５】
本発明に係る爪切りは、上記の構成に加えて、「前記可動部材に備えられた前記弾性部材は、その表面に、指を保持するための穴が設けられている」構成とすることもできる。ここで、穴としては、貫通穴でも良いし、所定深さの止まり穴でも良い。
【００２６】
本発明によると、可動部材に備えられた弾性部材に、指を保持する穴が形成されているので、特に、指の腹に対応する位置に穴を形成することで、指を確実に保持することができる。
【００２７】
本発明に係る爪切りは、上記の構成に加えて、「前記操作レバーは、前記使用位置において、前記可動部材と対向する側に、前記支持部材に支持された基端側から先端側に向かうに従って、前記可動部材から離反する方向に曲がった曲面部を備えている」構成とすることもできる。
【００２８】
本発明によると、操作レバーの曲面部は、操作レバーが使用位置にあるときに可動部材と対向するように備えられており、特に、爪切りの上刃と下刃が夫々離反する方向に付勢されたものに適用することで、可動部材と操作レバーとで指を挟持してマッサージやストレッチをする際に、挟持を解除する方向に操作レバーが付勢されるので、楽な操作で指を挟持したり挟持を解除したりすることができる。
【００２９】
本発明に係る爪切りは、上記の構成に加えて、「前記可動部材と前記固定部材との間に備えられ、且つ、前記上刃と前記下刃との噛合を可能とする前進位置と、噛合を阻止する後退位置との間を移動可能とされるストッパ部材をさらに具備する」構成とすることもできる。
【００３０】
本発明によると、上刃と下刃の噛合を可能とする前進位置と、噛合を阻止する後退位置とに移動可能なストッパ部材を備えたもので、特に、操作レバーが使用位置の状態で、マッサージやストレッチなどをする場合、可動部材と操作レバーとで指を挟持する際に、上刃と下刃が噛合して刃を傷める恐れがあるが、ストッパ部材を後退位置にすることで噛合を阻止することができ、上刃や下刃を傷めるのを防止することができる。
【００３１】
本発明に係る爪切りは、上記の構成に加えて、「前記ストッパ部材は、前記可動部材および前記固定部材の少なくとも一方に装着され、切断した爪の飛散を防止するカバーに備えられている」構成とすることもできる。
【００３２】
本発明によると、ストッパ部材を、切断した爪の飛散を防止するカバーに備えたもので、これにより、爪切りとして使用した際に、切断した爪が飛散するのを防ぐことができると共に、ストッパ部材を備えるために別途の部材を必要とすることがなく部品点数を削減することができ、コストを抑制することができる。
【発明の効果】
【００３３】
上記のように、本発明によると、手指の筋肉疲労や硬化に対して、手指の老化、縮みや捩れなどを予防や改善したり、丈夫な爪を形成するために、効果的にマッサージやストレッチなどをすることのできる爪切りを提供することができる。
【発明を実施するための最良の形態】
【００３４】
以下、本発明を実施するための最良の形態の爪切りについて、図１乃至図３に基づき詳細に説明する。図１は、本発明の爪切りを示す斜視図であり、図２（Ａ）は本発明の爪切りにおいてカバーを切断して示す側面図であり、（Ｂ）は（Ａ）におけるＢ−Ｂ断面図であり、（Ｃ）は（Ａ）におけるＣ−Ｃ断面図であり、（Ｄ）は操作レバーを収納位置とした状態で示す側面図であり、（Ｅ）はカバーの係止部を示す斜視図である。また、図３（Ａ）はストレッチを行う状態を示す説明図であり、（Ｂ）はマッサージなどの際のストッパ部材の作用を示す説明図である。
【００３５】
図１および図２（Ａ）に示すように、本実施形態の爪切り１０は、一端側に上刃１１を有する可動部材１２と、可動部材１２の他端側と接合され上刃１１と対向する下刃１３を有する固定部材１４と、固定部材１４の下刃１３近傍に一端が回転可能に支持され他端が可動部材１２の上面に突出する支持部材１５と、支持部材１５の他端に基端側を回動可能に支持される操作レバー１６と、爪の飛散を防止するカバー１７とを備えている。なお、図１および図２（Ａ）は、操作レバー１６が爪を切ることのできる使用位置に位置した状態を示している。また、可動部材１２と固定部材１４は、上刃１１と下刃１３とが互いに離反する方向に付勢されるように接合されている。
【００３６】
操作レバー１６は、図示するように、使用位置において、基端側から先端側に向かうに従って可動部材１２から離反する方向に曲がった曲面部１８を備えており、この曲面部１８は、図２（Ｂ）および（Ｃ）に断面で示すように、その幅方向中央が図中上側に窪んだ形状とされている。また、操作レバー１６には、図２（Ｂ）に示すように、曲面部１８の基端部近傍に、窪みを橋渡すような板状のバネ部材１９が部分的に設けられている。
【００３７】
また、操作レバー１６における曲面部１８の外周には、所定厚さの弾性部材２０が備えられている。この弾性部材２０は、スポンジなどからなり、バネ部材１９の外面以外は、操作レバー１６の窪んだ形状に沿った形状となっている。なお、図中符号３４は、操作レバー１６を支持部材１５に回動可能に支持するための回動軸である。また、操作レバー１６の曲面部１８とは反対側の面には、爪研ぎ用のヤスリ部が形成されている。さらに、図示は省略するが、操作レバー１６にカバーを設けても良い。
【００３８】
可動部材１２の上面には、台座２１を介して弾性部材２２が備えられており、弾性部材２２の上面は台座２１により指の形状に略フィットする凹凸２３が形成されている。この弾性部材２２には、図１に示すように、支持部材１５側の先端近傍に、載置した指を保持するための貫通する穴２４が設けられている。
【００３９】
この操作レバー１６と可動部材１２は、夫々に備えられた弾性部材２０,２２により指を確実に保持できる幅とされており、子供から大人まで種々の指の大きさに対応可能な幅とされている。なお、可動部材１２の幅よりも操作レバー１６の幅を若干広くすることが望ましく、これにより、指を確実に保持することが可能となる。
【００４０】
固定部材１４には、図２（Ｅ）に示すように、固定部材１４の長手方向に延びる長孔２５と、その略中央に長孔２５の幅よりも大径の通孔２６とを備えた係止孔２７が形成されている。
【００４１】
カバー１７には、その幅方向の略中央に、その長手方向に延び固定部材１４の厚さよりも若干高く長孔２５に挿通可能な板状部２８と、板状部２８の上端中央に設けられ係止孔２７の通孔２６よりも小径で長孔２５の幅よりも大径の係止片２９と、係止片２９の上部に上方に所定距離突出した突出部３０とからなる係止部３１が備えられている。本例では、係止部３１が本発明のストッパ部材に相当している。
【００４２】
カバー１７は、係止部３１の係止片２９を、固定部材１４における係止孔２７の通孔２６を図中下側から上側へ貫通させた上で、長手方向に移動させることで固定部材１４に装着されるようになっている。図示するように、カバー１７を上刃１１および下刃１３のある方向に移動させた状態が前進位置であり、その逆方向に移動させた状態が後退位置である（図３参照）。
【００４３】
次に、本実施形態の爪切り１０の作用について説明する。図２（Ａ）は、操作レバー１６が、爪切り１０を爪切りとして使用可能な使用位置にある状態を示しており、この状態で、操作レバー１６を操作することで、上刃１１と下刃１３が噛合して、爪を切断することができる。
【００４４】
また、図２（Ｄ）は、操作レバー１６を支持部材１５と共に回転させて収納位置とした状態を示しており、この状態では、爪切り１０の操作レバー１６が可動部材１２の上面と重なるように位置することでコンパクトな形態となる。
【００４５】
一方、指ｆにストレッチを行う場合、図３（Ａ）に示すように、この爪切り１０は、操作レバー１６を使用位置にした状態で、カバー１７を上刃１１および下刃１３から遠ざかる方向に移動させて後退位置に位置させる。この状態で、可動部材１２の弾性部材２２に指ｆを載せた上で、操作レバー１６の曲面部１８に沿うように指ｆを反らせることで、指ｆ及び図示しない手にストレッチをすることができる。なお、操作レバー１６の曲面部１８は、幅方向中央が窪んだ形状とされているので、指ｆが操作レバー１６からずれることがない。
【００４６】
また、指ｆにマッサージを行う場合は、図３（Ｂ）に示すように、操作レバー１６を使用位置に、カバー１７を後退位置に夫々位置させた状態で、指ｆを可動部材１２の弾性部材２２に載せた上で、操作レバー１６を操作して、指ｆを可動部材１２と操作レバー１６とで挟持したり挟持を解除したりすることでマッサージすることができる。なお、弾性部材２２には、凹凸２３や穴２４が形成されているので、指ｆが弾性部材２２にフィットし易く、指ｆを良好に保持することができる。
【００４７】
なお、操作レバー１６を操作して指ｆを挟持するのに伴って、上刃１１と下刃１３とが互いに噛合しようとするが、図３（Ｂ）に示すように、カバー１７における係止部３１の突出部３０が、可動部材１２の下面と当接して上刃１１と下刃１３とが噛合するのを阻止し、両刃が損傷するのを防止している。
【００４８】
このように、本実施形態の爪切り１０によると、指ｆの先端を可動部材１２と操作レバー１６とで挟持した上で、指ｆを操作レバー１６の曲面部１８に沿うように反らしたり、指ｆを可動部材１２と操作レバー１６とで挟持したり挟持を解除したりするのを繰り返すことで、容易に手指にストレッチやマッサージなどをすることができ、手指の筋肉を伸ばして筋肉をほぐしたりして、手指の縮みや捩れを予防したり改善したりすることができる。また、マッサージすることで、手指の血行を良くしたり、自律神経を刺激して指ｆの働きを良くしたり老化を予防したりすることができる。
【００４９】
また、爪切り１０にマッサージやストレッチをするための機能が一体に付加されているので、それらを別体とした場合に比べて、一つのもので済むので、保管などの置き場所が少なくて済む。
【００５０】
以上、本発明を実施するための最良の実施の形態を挙げて説明したが、本発明はこの実施の形態に限定されるものではなく、以下に示すように、本発明の要旨を逸脱しない範囲において、種々の改良及び設計の変更が可能である。
【００５１】
すなわち、本実施形態の爪切り１０では、ストッパ部材として、カバー１７の係止部３１と一体となったものを示したが、これに限定するものではなく、係止部３１とは別体となったものでも良く、例えば、図４に示すように、カバー１７の側板３２から、内方に突出するように形成された突出片３３によりストッパ部材を構成するようにしても良い。
【００５２】
また、本実施形態の爪切り１０では、操作レバー１６を板状としたものを示したが、これに限定するものではなく、曲面部１８の反対側の面を、基端側と先端側とを直線状に結んだ形態としても良く、これによっても、上記と同様の効果を奏することができる。
【００５３】
さらに、本実施形態の爪切り１０では、操作レバー１６が使用位置にあるときに、操作レバー１６の可動部材１２と対向する側に曲面部１８を備えたものを示したが、これに限定するものではなく、その反対側の面に曲面部を備えるようにしても良い。しかしながら、本例のように曲面部を備えることで、上刃と下刃とが離反する方向の付勢力を利用することができるので、マッサージやストレッチの際の操作を楽にすることができるので、本例のように備えるほうが好ましい。
【００５４】
また、本実施形態の爪切り１０では、可動部材１２と固定部材１４に、夫々上刃１１と下刃１３とを有したものを示したが、これに限定するものではなく、上刃１１と下刃１３とを有していない可動部材と固定部材とすることもできる。すなわち、爪切り１０に手指のマッサージやストレッチ機能を付加したものではなく、手指のマッサージとストレッチをするための専用の手指運動器具としても良い。この場合でも、上記の例と同様に、手指の運動やマッサージをすることができるので、手指に対して同様の効果を奏することができる。なお、この場合、操作レバーとしては、支持部材に基端側を回動可能に支持させると共に、可動部材の上面で基端側から先端側に向かうに従って可動部材から遠ざかる状態となる使用位置と、可動部材の上面に略重なる状態となる収納位置とに少なくとも回動可能とすることが望ましい。
【００５５】
また、手指運動器具専用とする場合、本実施形態における可動部材１２或いは固定部材１４に相当する部材を無くしても良い。この場合、何れかの部材に支持部材を回転可能に支持させると共に、操作レバーが使用位置の時に、操作レバーの先端が何れかの部材から遠ざかる方向に付勢する付勢手段を備えることが望ましい。
【図面の簡単な説明】
【００５６】
【図１】本発明の爪切りを示す斜視図である。
【図２】（Ａ）は本発明の爪切りにおいてカバーを切断して示す側面図であり、（Ｂ）は（Ａ）におけるＢ−Ｂ断面図であり、（Ｃ）は（Ａ）におけるＣ−Ｃ断面図であり、（Ｄ）は操作レバーを収納位置とした状態で示す側面図であり、（Ｅ）はカバーの係止部を示す斜視図である。
【図３】（Ａ）はストレッチを行う状態を示す説明図であり、（Ｂ）はマッサージなどの際のストッパ部材の作用を示す説明図である。
【図４】図２の例とは異なる形態のストッパ部材を示す側面図である。
【符号の説明】
【００５７】
１０  爪切り
１１  上刃
１２  可動部材
１３  下刃
１４  固定部材
１５  支持部材
１６  操作レバー
１７  カバー
１８  曲面部
１９  バネ部材
２０  弾性部材
２２  弾性部材
２３  凹凸
２４  穴
３１  係止部（ストッパ部材）
３３  突出片（ストッパ部材）
【図１】
2005304795.tif 000003
【図２】
2005304795.tif 000004
【図３】
2005304795.tif 000005
【図４】
2005304795.tif 000006